【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
少なくとも１つのビームをスペクトルフィルタリングするための装置であって、
少なくとも１つの入力ビームの複数のスペクトル成分を、スペクトル平面内でそれぞれに対応する異なる角度で分散させるように構成されたスペクトル分散素子と、
前記分散後のスペクトル成分が通過する第１の非平行面及び第２の非平行面を有し、前記第１の非平行面と前記第２の非平行面との間の伝搬経路にわたって前記分散後のスペクトル成分の平行化を実質的に保持するように構成されている第１の光学素子を少なくとも含むと共に、前記分散後のスペクトル成分の伝搬軸の角度の少なくとも一部を、前記複数のスペクトル成分の伝搬軸の間の最大角度分離が変わるように変更するように構成された１つまたは複数の光学素子と、
複数の前記分散後のスペクトル成分を、前記複数のスペクトル成分それぞれの中心光線がその上の異なる点に入射する位置で受け取るように、また前記受け取ったスペクトル成分のうち、選択された出力経路に誘導すべき少なくとも１つかつ全部未満を選択するように傾動するように構成された反射面と
を備える装置。
【請求項２】
前記１つまたは複数の光学素子が、前記分散後のスペクトル成分の伝搬軸の角度の少なくとも一部を、前記複数のスペクトル成分の伝搬軸の間の最大角度分離が増大するように変更するように構成される、請求項１に記載の装置。
【請求項３】
前記分散後のスペクトル成分が、第１の最大角度分離で発散し、前記１つまたは複数の光学素子が、前記分散後のスペクトル成分の伝搬軸の角度の少なくとも一部を、前記複数のスペクトル成分が前記第１の最大角度分離よりも大きな第２の最大角度分離で発散するように変更するように構成される、請求項２に記載の装置。
【請求項４】
前記分散後のスペクトル成分が、第１の最大角度分離で発散し、前記１つまたは複数の光学素子が、前記分散後のスペクトル成分の伝搬軸の角度の少なくとも一部を、前記複数のスペクトル成分が前記第１の最大角度分離よりも大きな第２の最大角度分離で収束するように変更するように構成される、請求項２に記載の装置。
【請求項５】
前記第１の光学素子が、プリズムを備える、請求項１に記載の装置。
【請求項６】
前記１つまたは複数の光学素子が、異なる焦点距離を有する２つのレンズを備え、前記２つのレンズが、ほぼ前記焦点距離同士の和となる距離だけ分離される、請求項１に記載の装置。
【請求項７】
前記１つまたは複数の光学素子が、前記分散後のスペクトル成分それぞれの横空間広がりを、前記スペクトル分散素子に入射する前記入力ビームの横空間広がりの方が前記反射面に入射する前記複数の分散後のスペクトル成分それぞれの横空間広がりよりも大きくなるように変更するように構成される、請求項１に記載の装置。
【請求項８】
前記スペクトル分散素子に入射する前記入力ビームの横空間広がりが、前記反射面に入射するすべての前記分散後のスペクトル成分の合計横空間広がりよりも大きい、請求項７に記載の装置。
【請求項９】
前記スペクトル分散素子に入射する前記入力ビームの横空間広がりが、前記反射面に入射する前記複数の分散後のスペクトル成分それぞれの横空間広がりよりも、少なくとも約２倍大きい、請求項７に記載の装置。
【請求項１０】
前記スペクトル分散素子が、前記複数のスペクトル成分を、前記それぞれに対応する異なる角度で共通空間モードから分散させるように構成される、請求項１に記載の装置。
【請求項１１】
前記スペクトル分散素子に供給される前記入力ビームを、導波路の導波空間モードから前記スペクトル分散素子に入射する前記共通空間モードに拡大するように構成された、１つまたは複数の光学素子をさらに備える、請求項１０に記載の装置。
【請求項１２】
前記反射面が、前記入力ビームを拡大するように構成された前記１つまたは複数の光学素子を少なくとも２度通過した後の前記複数の前記分散後のスペクトル成分を受け取る、請求項１１に記載の装置。
【請求項１３】
前記反射面が、多重入力ビームから分散後のスペクトル成分を受け取るように、また所与の入力ビームの前記受け取ったスペクトル成分のうち、対応する選択された出力経路に誘導すべき少なくとも１つかつ全部未満を選択するように傾動するように構成される、請求項１に記載の装置。
【請求項１４】
少なくとも１つの入力ビームをスペクトルフィルタリングするための方法であって、
少なくとも１つの入力ビームの複数のスペクトル成分を、スペクトル平面内でそれぞれに対応する異なる角度で分散させる段階と、
前記分散後のスペクトル成分が通過する第１の非平行面及び第２の非平行面を有し、前記第１の非平行面と前記第２の非平行面との間の伝搬経路にわたって前記分散後のスペクトル成分の平行化を実質的に保持するように構成されている第１の光学素子を少なくとも介して前記分散後のスペクトル成分を通過させることによって、前記分散後のスペクトル成分の伝搬軸の角度の少なくとも一部を、前記複数のスペクトル成分の伝搬軸の間の最大角度分離が変わるように変更する段階と、
反射面に入射する複数の前記分散後のスペクトル成分を、前記複数のスペクトル成分それぞれの中心光線が前記反射面上の異なる点に入射する位置で受け取る段階と、
前記受け取ったスペクトル成分のうち、選択された出力経路に誘導すべき少なくとも１つかつ全部未満を選択するように、前記反射面を傾動させる段階と
を含む方法。
【請求項１５】
少なくとも１つの入力ビームの複数のスペクトル成分のスペクトルを監視するためのシステムであって、
少なくとも１つの入力ビームの複数のスペクトル成分を、スペクトル平面内でそれぞれに対応する異なる角度で分散させるように構成されたスペクトル分散素子と、
前記分散後のスペクトル成分が通過する第１の非平行面及び第２の非平行面を有し、前記第１の非平行面と前記第２の非平行面との間の伝搬経路にわたって前記分散後のスペクトル成分の平行化を実質的に保持するように構成されている第１の光学素子を少なくとも含むと共に、前記分散後のスペクトル成分の伝搬軸の角度の少なくとも一部を、前記複数のスペクトル成分の伝搬軸の間の最大角度分離が変わるように変更するように構成された、１つまたは複数の光学素子と、
複数の前記分散後のスペクトル成分を、前記複数のスペクトル成分それぞれの中心光線がその上の異なる点に入射する位置で受け取るように、また前記受け取ったスペクトル成分のうち、選択された出力経路に誘導すべき少なくとも１つかつ全部未満を選択するように傾動するように構成された反射面と
選択された出力経路に誘導されたスペクトル成分を受け取るように構成された、少なくとも１つの検出器と
を備えるシステム。
【請求項１６】
少なくとも１つの入力ビームをスペクトルフィルタリングするための装置であって、
少なくとも１つの入力ビームの複数のスペクトル成分を、スペクトル平面内でそれぞれに対応する異なる角度で分散させるように構成されたスペクトル分散素子と、
前記分散後のスペクトル成分の伝搬軸の角度の少なくとも一部を変更するように構成された１つまたは複数の光学素子であって、前記光学素子のうち少なくとも１つが、前記スペクトル分散素子から前記少なくとも１つの光学素子の焦点距離未満の距離のところに配置される、１つまたは複数の光学素子と、
複数の前記分散後のスペクトル成分を受け取るように、また前記受け取ったスペクトル成分のうち、選択された出力経路に誘導すべき少なくとも１つかつ全部未満を選択するように傾動するように構成された反射面と
を備える装置。
【請求項１７】
前記反射面が、複数の前記分散後のスペクトル成分を、前記複数のスペクトル成分それぞれの中心光線が前記反射面上の異なる点に入射する位置で受け取るように構成される、請求項１６に記載の装置。
【請求項１８】
前記１つまたは複数の光学素子が、異なる焦点距離を有する２つのレンズを備え、前記２つのレンズが、ほぼ前記焦点距離同士の和となる距離だけ分離される、請求項１６に記載の装置。
【請求項１９】
前記反射面が、多重入力ビームから分散後のスペクトル成分を受け取るように、また所与の入力ビームの前記受け取ったスペクトル成分のうち、対応する選択された出力経路に誘導すべき少なくとも１つかつ全部未満を選択するように傾動するように構成される、請求項１６に記載の装置。
【請求項２０】
少なくとも１つの入力ビームをスペクトルフィルタリングするための装置であって、
少なくとも１つの入力ビームの複数のスペクトル成分を、スペクトル平面内でそれぞれに対応する異なる角度で分散させるように構成されたスペクトル分散素子と、
前記分散後のスペクトル成分が通過する第１の非平行面及び第２の非平行面を有し、前記第１の非平行面と前記第２の非平行面との間の伝搬経路にわたって前記分散後のスペクトル成分の平行化を実質的に保持するように構成されている第１の光学素子を少なくとも含むと共に、前記分散後のスペクトル成分の伝搬軸の角度の少なくとも一部を、前記複数のスペクトル成分の伝搬軸の間の最大角度分離が増大するように変更するように、また前記複数のスペクトル成分それぞれの横空間広がりを、前記スペクトル分散素子に入射する前記入力ビームの横空間広がりよりも小さくなるように変更するように構成された、１つまたは複数の光学素子と、
複数の前記分散後のスペクトル成分を受け取るように、また前記受け取ったスペクトル成分のうち、選択された出力経路に誘導すべき少なくとも１つかつ全部未満を選択するように傾動するように構成された反射面と
を備える装置。
【請求項２１】
前記第１の光学素子が、プリズムを備える、請求項２０に記載の装置。
【請求項２２】
前記１つまたは複数の光学素子が、異なる焦点距離を有し、かつほぼ前記焦点距離同士の和となる距離だけ分離された２つのレンズを備える、請求項２０に記載の装置。
【請求項２３】
前記スペクトル分散素子が、前記複数のスペクトル成分を、前記それぞれに対応する異なる角度で共通空間モードから分散させるように構成される、請求項２０に記載の装置。
【請求項２４】
前記スペクトル分散素子に供給される前記入力ビームを、導波路の導波空間モードから前記スペクトル分散素子に入射する前記共通空間モードに拡大するように構成された、１つまたは複数の光学素子をさらに備える、請求項２３に記載の装置。
【請求項２５】
前記反射面が、前記入力ビームを拡大するように構成された前記１つまたは複数の光学素子を少なくとも２度通過した後の前記複数の前記分散後のスペクトル成分を受け取るように配置される、請求項２４に記載の装置。
【請求項２６】
前記１つまたは複数の光学素子が、前記スペクトル分散素子と前記反射面との間の伝搬経路にわたって前記分散後のスペクトル成分の平行化を実質的に保持するように構成されている、請求項１に記載の装置。
【請求項２７】
前記１つまたは複数の光学素子が、前記スペクトル分散素子と前記反射面との間の伝搬経路にわたって前記分散後のスペクトル成分の平行化を実質的に保持するように構成されている、請求項２０に記載の装置。
【請求項２８】
前記１つまたは複数の光学素子が、前記スペクトル分散素子と前記反射面との間の伝搬経路にわたって前記分散後のスペクトル成分の平行化を実質的に保持するように構成されている、請求項５に記載の装置。
【請求項２９】
前記１つまたは複数の光学素子が、前記スペクトル分散素子と前記反射面との間の伝搬経路にわたって前記分散後のスペクトル成分の平行化を実質的に保持するように構成されている、請求項２１に記載の装置。